(57)【要約】【課題】変形原稿を直接読み取ることが可能な画像読取装置を提供すること。【解決手段】画像読取部１０４に対して原稿を相対的に搬送する画像読取装置１であって、画像読取装置１内部において原稿を搬送する搬送路１０５と、画像読取部１０４よりも搬送方向上流側の検出位置に原稿の紙面が到達したことを検出する原稿検知センサ１０３ａと、画像読取部１０４よりも搬送方向上流側の検出位置に原稿の紙面が到達したことを検出するサイズ検知センサ１０３ｂ〜ｇとを有し、原稿検知センサ１０３ａとサイズ検知センサ１０３ｂ〜ｇとの原稿検出有無に基づいて原稿が定形原稿であるか否か判断することを特徴とする。【選択図】図４
2008236087.tif 000002
【特許請求の範囲】
【請求項１】
画像読取素子に対して原稿を相対的に搬送する画像読取装置であって、
前記画像読取装置内部において前記原稿を搬送する搬送路と、
前記画像読取素子よりも前記搬送方向上流側の第１検出位置に前記原稿の紙面が到達したことを検出する原稿検知センサと、
前記画像読取素子よりも前記搬送方向上流側の第２検出位置に前記原稿の紙面が到達したことを検出するサイズ検知センサとを有し、
前記第１検出位置は、前記搬送路の原稿搬送方向と平行な線であって前記原稿の主走査方向のサイズ特定において基準となる基準線近傍の位置であり、
前記第２検出位置は、前記基準線から前記主走査方向に外れた位置であり、
前記原稿検知センサと前記サイズ検知センサとの原稿検出有無に基づいて前記原稿が定形原稿であるか否か判断することを特徴とする画像読取装置。
【請求項２】
前記第１検出位置は、前記第２検出位置よりも前記搬送方向下流側の位置であることを特徴とする、請求項１に記載の画像読取装置。
【請求項３】
前記サイズ検知センサが原稿検出状態となった後、前記原稿検知センサが原稿検出状態となる前に所定時間経過したことをもって前記原稿が不定形原稿であると判断することを特徴とする、請求項２に記載の画像読取装置。
【請求項４】
前記原稿検知センサが原稿検出状態となった時点において前記サイズ検知センサが原稿非検出状態であることをもって前記原稿が不定形原稿であると判断することを特徴とする、請求項２または３に記載の画像読取装置。
【請求項５】
前記原稿検知センサと前記サイズ検知センサとが主走査方向に沿って並んでいることを特徴とする、請求項１に記載の画像読取装置。
【請求項６】
前記原稿検知センサ及び前記サイズ検知センサのいずれか一つが原稿検出状態となったことをきっかけとして、前記原稿が定形原稿であるか否かの判断を実行することを特徴とする、請求項５に記載の画像読取装置。
【請求項７】
前記原稿検知センサ及び前記サイズ検知センサのいずれか一つが原稿検出状態となった後、所定時間経過した時点において前記原稿検知センサ及び前記サイズ検知センサのいずれか一つが原稿非検出状態であることをもって前記原稿が不定形原稿であると判断することを特徴とする、請求項５または６に記載の画像読取装置。
【請求項８】
情報を視覚的に表示する表示部を更に有し、
前記原稿が不定形原稿であると判断した場合、その判断結果を前記表示部に表示することを特徴とする、請求項１乃至７いずれか１項に記載の画像読取装置。
【請求項９】
前記原稿が不定形原稿であると判断された場合、ユーザによって指定された読取サイズに従って画像読取を実行することを特徴とする、請求項１乃至８いずれか１項に記載の画像読取装置。
【請求項１０】
前記サイズ検知センサが原稿検出状態であり、前記原稿検知センサが原稿非検出状態として前記原稿が不定形原稿であると判断された場合、前記サイズ検知センサの検出結果に従って読み取りサイズを決定することを特徴とする、請求項１乃至８いずれか１項に記載の画像読取装置。
【請求項１１】
ユーザが画像読取の開始及び終了を指示する読取実行操作部を更に有し、
前記読取実行ボタンの押下に基づいて画像読取を開始及び終了することを特徴とする、請求項１乃至１０いずれか１項に記載の画像読取装置。
【請求項１２】
前記読取実行操作部の押下状態に基づいて画像読取を開始及び終了することを特徴とする、請求項１１に記載の画像読取装置。
【請求項１３】
画像読取動作実行中において前記サイズ検知センサが非検出状態から検出状態に遷移した場合、前記検出状態となったサイズ検知センサに基づいて読み取りサイズを変更することを特徴とする、請求項１乃至１２いずれか１項に記載の画像読取装置。
【請求項１４】
請求項１乃至１３いずれか１項に記載の画像読取装置を有することを特徴とする、画像形成装置。
【請求項１５】
画像読取素子に対して原稿を相対的に搬送する画像読取装置の制御方法であって、
前記画像読取装置内部において前記原稿を搬送し、
前記搬送路の原稿搬送方向と平行な線であって前記原稿の主走査方向のサイズ特定において基準となる基準線近傍であって前記画像読取素子よりも前記搬送方向上流側の第１検出位置に前記原稿の紙面が到達したことを検出し、
前記基準線から前記主走査方向に外れた位置であって前記画像読取素子よりも前記搬送方向上流側の第２検出位置に前記原稿の紙面が到達したことを検出し、
前記第１検出位置と前記第２検出位置との原稿検出有無に基づいて前記原稿が定形原稿であるか否か判断することを特徴とする画像読取装置の制御方法。
【発明の詳細な説明】
【技術分野】
【０００１】
本発明は、画像読取装置、画像読取装置の制御方法に関し、特に定形原稿以外の不定形原稿の読取動作に関する。
【背景技術】
【０００２】
近年、画像を光学的に読み取り、読み取った画像情報を電子情報に変換して保存する画像読取装置は、ファクシミリ、複写機、画像認識装置、光ファイリング装置等に広く用いられている。この様な画像読取装置において、Ａ３サイズとＢ５サイズとのように、サイズの異なる原稿が混在した原稿束を連続して読み出す方法が提案されている（例えば特許文献１参照）。特許文献１においては、原稿を搬送する搬送路において、ＣＣＤ読取ユニットのある画像読取部よりも上流側に原稿サイズセンサを設け、サイズを検知してから原稿読取を実行することが記載されている。特許文献１においては、Ａ３サイズやＢ５サイズ等の定形原稿が前提となっており、本件が目的とするところの不定形原稿の画像読取とはその目的が異なる。
【特許文献１】特開２００６−１１５４２８号公報
【発明の開示】
【発明が解決しようとする課題】
【０００３】
Ａ０サイズ等の原稿搬送型の幅広原稿読取装置においては、長方形や正方形等の定形原稿以外にも、丸型、菱形及びその他の図形等、不定形の原稿を読み取り対象とすることがある。そのような場合においても、特許文献１に示すように原稿のサイズを検知してから原稿読み取りを実行することが好ましい。しかしながら、不定形原稿の形状によっては、サイズ検知を適正に実行することができず、原稿を正確に読み取ることができない。従って、不定形原稿を読み取る場合、キャリアシートと呼ばれる透明なシートによって原稿を挟み、画像読取装置に対して不定形原稿を擬似的に定形原稿として認識させることにより画像読取を実行していた。従って、不定形原稿を直接読み取ることはできず、必ずキャリアシートが必要であった。
【０００４】
本発明は、上述した実情を考慮してなされたもので、不定形原稿を直接読み取ることが可能な画像読取装置を提供することを目的とする。
【課題を解決するための手段】
【０００５】
上記の課題を解決するために、請求項１に記載の発明は、画像読取素子に対して原稿を相対的に搬送する画像読取装置であって、前記画像読取装置内部において前記原稿を搬送する搬送路と、前記画像読取素子よりも前記搬送方向上流側の第１検出位置に前記原稿の紙面が到達したことを検出する原稿検知センサと、前記画像読取素子よりも前記搬送方向上流側の第２検出位置に前記原稿の紙面が到達したことを検出するサイズ検知センサとを有し、前記第１検出位置は、前記搬送路の原稿搬送方向と平行な線であって前記原稿の主走査方向のサイズ特定において基準となる基準線近傍の位置であり、前記第２検出位置は、前記基準線から前記主走査方向に外れた位置であり、前記原稿検知センサと前記サイズ検知センサとの原稿検出有無に基づいて前記原稿が定形原稿であるか否か判断することを特徴とする。
【０００６】
また、請求項２に記載の発明は、請求項１に記載の画像読取装置において、前記第１検出位置は、前記第２検出位置よりも前記搬送方向下流側の位置であることを特徴とする。
【０００７】
また、請求項３に記載の発明は、請求項２に記載の画像読取装置において、前記サイズ検知センサが原稿検出状態となった後、前記原稿検知センサが原稿検出状態となる前に所定時間経過したことをもって前記原稿が不定形原稿であると判断することを特徴とする。
【０００８】
また、請求項４に記載の発明は、請求項２または３に記載の画像読取装置において、前記原稿検知センサが原稿検出状態となった時点において前記サイズ検知センサが原稿非検出状態であることをもって前記原稿が不定形原稿であると判断することを特徴とする。
【０００９】
また、請求項５に記載の発明は、請求項１に記載の画像読取装置において、前記原稿検知センサと前記サイズ検知センサとが主走査方向に沿って並んでいることを特徴とする。
【００１０】
また、請求項６に記載の発明は、請求項５に記載の画像読取装置において、前記原稿検知センサ及び前記サイズ検知センサのいずれか一つが原稿検出状態となったことをきっかけとして、前記原稿が定形原稿であるか否かの判断を実行することを特徴とする。
【００１１】
また、請求項７に記載の発明は、請求項５または６に記載の画像読取装置において、前記原稿検知センサ及び前記サイズ検知センサのいずれか一つが原稿検出状態となった後、所定時間経過した時点において前記原稿検知センサ及び前記サイズ検知センサのいずれか一つが原稿非検出状態であることをもって前記原稿が不定形原稿であると判断することを特徴とする。
【００１２】
また、請求項８に記載の発明は、請求項１乃至７いずれか１項に記載の画像読取装置において、情報を視覚的に表示する表示部を更に有し、前記原稿が不定形原稿であると判断した場合、その判断結果を前記表示部に表示することを特徴とする。
【００１３】
また、請求項９に記載の発明は、請求項１乃至８いずれか１項に記載の画像読取装置において、前記原稿が不定形原稿であると判断された場合、ユーザによって指定された読取サイズに従って画像読取を実行することを特徴とする。
【００１４】
また、請求項１０に記載の発明は、請求項１乃至８いずれか１項に記載の画像読取装置において、前記サイズ検知センサが原稿検出状態であり、前記原稿検知センサが原稿非検出状態として前記原稿が不定形原稿であると判断された場合、前記サイズ検知センサの検出結果に従って読み取りサイズを決定することを特徴とする。
【００１５】
また、請求項１１に記載の発明は、請求項１乃至１０いずれか１項に記載の画像読取装置において、ユーザが画像読取の開始及び終了を指示する読取実行操作部を更に有し、前記読取実行ボタンの押下に基づいて画像読取を開始及び終了することを特徴とする。
【００１６】
また、請求項１２に記載の発明は、請求項１１に記載の画像読取装置において、前記読取実行操作部の押下状態に基づいて画像読取を開始及び終了することを特徴とする。
【００１７】
また、請求項１３に記載の発明は、請求項１乃至１２いずれか１項に記載の画像読取装置において、画像読取動作実行中において前記サイズ検知センサが非検出状態から検出状態に遷移した場合、前記検出状態となったサイズ検知センサに基づいて読み取りサイズを変更することを特徴とする。
【００１８】
また、請求項１４に記載の発明は、画像形成装置であって、請求項１乃至１３いずれか１項に記載の画像読取装置を有することを特徴とする。
【００１９】
また、請求項１５に記載の発明は、画像読取素子に対して原稿を相対的に搬送する画像読取装置の制御方法であって、前記画像読取装置内部において前記原稿を搬送し、前記搬送路の原稿搬送方向と平行な線であって前記原稿の主走査方向のサイズ特定において基準となる基準線近傍であって前記画像読取素子よりも前記搬送方向上流側の第１検出位置に前記原稿の紙面が到達したことを検出し、前記基準線から前記主走査方向に外れた位置であって前記画像読取素子よりも前記搬送方向上流側の第２検出位置に前記原稿の紙面が到達したことを検出し、前記第１検出位置と前記第２検出位置との原稿検出有無に基づいて前記原稿が定形原稿であるか否か判断することを特徴とする。
【発明の効果】
【００２０】
本発明によれば、不定形原稿を直接読み取ることが可能な画像読取装置を提供することことが可能となる。
【発明を実施するための最良の形態】
【００２１】
以下、図面を参照して、本発明の実施形態を詳細に説明する。
【実施例１】
【００２２】
図１（ａ）は、本実施例に係る画像読取装置１の全体構成を示すブロック図である。図２は、画像読取装置１に含まれる原稿検出部１０３、画像読取部１０４の近傍及び搬送路１０５の一部を模式的に示す斜視図である。また、図３は、図２を上方から見た状態を示す平面図である。尚、図３においては、一部を破線により示している。図１（ａ）に示すように、本実施例に係る画像読取装置１は、スキャナユニット１００、コントローラ１１０、ホストインターフェース１０６及びディスプレイパネル１０７を有する。また、スキャナユニット１００は、給紙口１０１、排紙口１０２、原稿検出部１０３、画像読取部１０４及び搬送路１０５を有する。更に、コントローラ１１０は、主制御部１１１、入力制御部１１２及びエンジン制御部１１３を有する。また、尚、図１（ａ）においては、電気的接続を実線の矢印で示しており、用紙の流れを破線の矢印で示している。
【００２３】
スキャナユニット１００は、コントローラ１１０の制御に従って実際に画像読取を実行する。具体的には、給紙口１０１から搬送路１０５に挿入された原稿が搬送路各部に設けられた搬送ローラ１０５ａによって搬送され、画像読取部１０４によって光学的に走査された後、排紙口１０２から排出される。本実施例に係る原稿搬送装置１は、画像読取部１０４に対して原稿を相対的に搬送し、原稿の全面を走査する、原稿搬送型の画像読取装置である。
【００２４】
コントローラ１１０は、ソフトウェアとハードウェアとの組み合わせによって構成される。具体的には、ＲＯＭ（Ｒｅａｄ  Ｏｎｌｙ  Ｍｅｍｏｒｙ）やＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）並びに磁気ディスクや光学ディスク等の不揮発性記憶媒体に格納されたファームウェア等の制御プログラムが、ＤＲＡＭ（Ｄｙｎａｍｉｃ  Ｒａｎｄｏｍ  Ａｃｃｅｓｓ  Ｍｅｍｏｒｙ）等の揮発性メモリ（以下、メモリ）にロードされ、ＣＰＵ（Ｃｅｎｔｒａｌ  Ｐｒｏｃｅｓｓｉｎｇ  Ｕｎｉｔ）の制御に従って構成されるソフトウェア制御部と集積回路などのハードウェアとによってコントローラ１１０が構成される。コントローラ１１０は、夫々の機能別に主制御部１１１、入力制御部１１２及びエンジン制御部１１３を有する。
【００２５】
主制御部１１１は、コントローラ１０１に含まれる各制御部全体を制御する役割を担い、入力制御部１１２が受信若しくは生成した信号に基づいて入力制御部１１２やエンジン制御部１１３に命令を与え若しくは信号を送信する。ここで、入力制御部１１２が生成する信号とは、例えばユーザによるディスプレイパネル１０７の操作に基づいて入力制御部１１２が主制御部１１１に入力する操作信号である。入力制御部１１２は、ホストＩ／Ｆ１０６を介して入力される印刷ジョブやディスプレイパネル１０７からユーザによって入力する操作情報を主制御部１１１に入力すると共に、主制御部１１１の命令に従ってディスプレイパネル１０７に情報表示を行い若しくはホストＩ／Ｆ１０６を介してホスト装置に情報を送信する。
【００２６】
エンジン制御部１１３は、主制御部１１１の命令に従ってスキャナユニット１００を制御する制御部である。図１（ｂ）を参照して、本実施例に係るエンジン制御部１１３について更に詳細に説明する。図１（ｂ）に示すように、本実施例に係るエンジン制御部１１３は、エンジン制御管理部１１３ａ、記憶領域管理部１１３ｂ、画像処理部１１３ｃ、記憶領域１１３ｄ、画素駆動部１１３ｅ、原稿検出管理部１１３ｆ及び搬送管理部１１３ｇを有する。エンジン制御管理部１１３ａは、エンジン制御部１１３全体の動作を管理する。画素駆動部１１３ｅは、画像読取部１０４を駆動して、ＣＣＤ（Ｃｈａｒｇｅ  Ｃｏｕｐｌｅｄ  Ｄｅｖｉｃｅｓ）等の光電変換素子（読取画素）により読み取り原稿の光学情報を電気信号に変換する。
【００２７】
画像処理部１１３ｃは、画像読取部１０５から入力される電気信号に基づき、画像情報を生成して記憶領域１１３ｄに格納する。記憶領域管理部１１３ｂは、記憶領域１１３ｄを管理する管理部であり、例えば記憶領域１１３ｄへ情報を格納する際の記憶領域１１３ｄのアドレス管理や、原稿検出部１０３によって検出された原稿サイズに対応する画像データの容量（メモリ空間）を記憶領域１１３ｄに確保する。記憶領域１１３ｄは、画像処理部１１３ｃが画像読取部１０５から入力される電気信号に基づいて画像データを生成する際に、生成した画像データを順次格納する領域である。典型的にはコントローラ１１０を構成する制御プログラムの動作領域となる揮発性メモリの空き領域が記憶領域１１３ｄとして用いられる。原稿検出管理部１１３ｆは、原稿検出部１０３を駆動して原稿のサイズや形状を検出する。搬送管理部１１３ｆは、搬送路１０５各部に設けられた搬送ローラ１０５ａを駆動し、給紙口１０１から挿入された原稿を搬送する。
【００２８】
次に、図２、図３を参照して、原稿検出部１０３、画像読取部１０４及び搬送路１０５について更に説明する。図に示すように、本実施例に係るスキャナユニット１００においては、搬送路１０５各部に搬送ローラ１０５ａが設けられている。搬送ローラ１０５ａは、原稿（の紙面）を表裏から挟み、回転することによって原稿を搬送する。即ち、搬送路１０５において原稿が搬送される軌跡は、平面（以降、搬送軌跡面１０５ｂとする）によって画定される。原稿検出部１０３、画像読取部１０４は、搬送軌跡面１０５ｂに対向して設けられる。
【００２９】
画像読取部１０４は、搬送路１０５において原稿が搬送される方向とは垂直な方向（主走査方向）に、読取素子が配列されることにより構成されている。搬送路１０５において画像読取部１０４が対向する部位には、読み取り背面板１０４ａ及びコンタクトガラス１０４ｂが設けられている。読取背面板１０４ａは、原稿の画像読取部１０４と対向する面の背面側に配置される光学部材である。コンタクトガラス１０４ｂは透明板であり、画像読取時に読み取るべき原稿と接触する光学部材である。図３に示すように、原稿検出部１０３は、画像読取部１０４よりも原稿搬送方向上流側に設けられている。従って、画像読取装置１の動作においては、給紙口１０１から原稿が挿入され、搬送路１０５を搬送されると、原稿は先に原稿検出部１０３において検出され、その後に画像読取部１０４が対向する読取エリアに搬送される。
【００３０】
次に、図４を参照して、原稿検出部１０３について更に説明する。図４は、図３の状態において画像検出部１０３の一部を更に詳細に示している。図４に示すように、画像検出部１０３は、原稿検知センサ１０３ａ及びサイズ検知センサ１０３ｂ、１０３ｃ、１０３ｄ、１０３ｅ、１０３ｆ、１０３ｇ・・・（以降、サイズ検知センサ１０３ｂ〜とする）を有する。原稿検知センサ１０３ａは、原稿が搬送されてきたことを検知するセンサであり、図４に示すようにセンターラインＣ近傍（本実施例においてはセンターラインＣ上）に設けられている。センターラインＣとは、原稿の主走査方向のサイズを特定する際に基準となる線である。本実施例に係るセンターラインＣは、搬送路１０５における原稿搬送方向と平行な線である。また、センターラインＣは、原稿を搬送する際に原稿の主走査方向の中心を位置合わせする線である。センターラインＣとサイズ検知センサ１０３ｂ〜との位置関係については後述する。
【００３１】
サイズ検知センサ１０３ｂ〜は、搬送路１０５を搬送されてくる原稿のサイズを検知するためのセンサであり、図４に示すように、夫々の検知サイズ毎に複数設けられている。本実施例においては、サイズ検知センサ１０３ｂ〜は、センターラインＣから主走査方向に外れた位置であって、センターラインＣに近い側から順にサイズ検知センサ１０３ｂ、１０３ｃ、１０３ｄ、１０３ｅ、１０３ｆ・・・の順に設けられている。図４に示すように、サイズ検知センサ１０３ｂは、センターラインＣを基準として、Ｂ５サイズの外側端よりも内側に設けられている。また、サイズ検知センサ１０３ｃは、センターラインＣを基準としてＢ５サイズとＡ４サイズとの間の位置に設けられている。
【００３２】
上記Ｂ５サイズ及びＡ４サイズとは、原稿の主走査方向中心をセンターラインＣに位置合わせした場合におけるＢ５サイズ、Ａ４サイズ夫々の原稿の主走査方向端部を示す。即ち、サイズ検知センサ１０３ｂとセンターラインＣとの主走査方向の間隔は、Ｂ５サイズの半分の間隔よりも狭い。また、サイズ検知センサ１０３ｃとセンターラインＣとの主操作方向の感覚は、Ｂ５サイズの半分の間隔よりも広く、Ａ４サイズの半分の間隔よりも狭い。以降、サイズ検知センサ１０３ｄは、Ａ４サイズとＢ４サイズの間、サイズ検知センサ１０３ｅは、Ｂ４サイズとＡ３サイズとの間・・・というように設けられている。これにより、夫々のサイズ検知センサ１０３ｂ〜のＯＮ／ＯＦＦ状態に基づいて原稿サイズを判断することができる。
【００３３】
尚、上記Ｂ５サイズの半分若しくはＡ４サイズの半分という場合においては、夫々の原稿サイズの長辺若しくは短辺のいずれか一方の長さの半分を示す。長辺若しくは短辺のいずれを示すかについては、夫々のサイズ検知センサ１０３ｂ〜が定形原稿サイズの縦状態及び横状態のいずれに対応しているかによって定められる。例えば、サイズ検知センサ１０３ｂがＢ５サイズの縦（Ｂ５サイズ原稿の長辺が搬送方向と平行な場合）に対応している場合、サイズ検知センサ１０３ｂとセンターラインＣとの主走査方向の間隔は、Ｂ５サイズの短辺の半分よりも狭い。
【００３４】
本実施例に係る原稿検知センサ１０３ａ及びサイズ検知センサ１０３ｂ〜は、夫々の検知センサが搬送軌跡面１０５ｂに対してその面に垂直な方向に対向するように設けられている。これにより、原稿検知センサ１０３ａ及びサイズ検知センサ１０３ｂ〜は、搬送軌跡面において夫々が対向する位置に原稿が搬送され、到達したことを検出する。また、この複数のサイズ検知センサ１０３ｂ〜は、主走査方向とに並べて設けられている。また、サイズ検知センサ１０３ｂ〜は、原稿検知センサ１０３ａよりも搬送方向上流側に設けられている。換言すると、原稿検知センサ１０３ａは、サイズ検知センサ１０３ｂ〜よりも搬送方向下流側に設けられている。尚、本実施例に係る画像読取装置１は、Ａ０サイズの原稿まで読取が可能な幅広型の画像読取装置である。
【００３５】
次に、図５、図６を用いて、本実施例に係る画像読取装置１の通常動作について説明する。図５は、本実施例に係る画像読取装置１の通常動作を示すフローチャートであり、図６は、本実施例に係る画像読取装置１の通常動作における原稿検出部１０３近傍を示す平面図である。原稿が挿入口１０１から挿入され、ユーザにより原稿読取開始の操作がディスプレイパネル１０７を介して入力されると、エンジン制御部１１３が搬送ローラ１０５ａを駆動して原稿搬送を開始する（Ｓ５０１）。尚、原稿検出部１０３や給紙口１０１に設けられた他のセンサが原稿を検出することにより、搬送が開始されても良い。図６に示すように原稿が原稿検出部１０３の原稿検知センサ１０３ａによって検知される（センサＯＮ）と（Ｓ５０２）、原稿検知センサ１０３ａがエンジン制御部１１３に原稿検知信号を送信する。原稿検知信号を受信したエンジン制御部１１３は、サイズ検知センサ１０３ｂ〜の検知状態を確認し、搬送されている原稿のサイズを検出する（Ｓ５０３）。
【００３６】
図６の例においては、搬送されている原稿はＡ４サイズであり、原稿検知センサ１０３ｂのみがＯＮとなっている。従って、エンジン制御部１１３に含まれる原稿検出管理部１１３ｆは、原稿サイズをＡ４として認識する。これにより、画素駆動部１１３ｅは、画像読取部１０４に含まれる読取画素のうちＡ４サイズ分を駆動する（Ｓ５０４）と共に、画像読取部１０４によって読み取られた画像情報を保持するためのメモリ空間をＡ４サイズ分確保する（Ｓ５０５）。その後、エンジン制御部１１３は、更に原稿を搬送し、スキャンを実行して（Ｓ５０６）処理を終了する。この様に、本実施例に係る画像読取装置１においては、原稿検知センサ１０３ａをサイズ検知センサ１０３ｂ〜よりも搬送方向下流側に設けることにより、原稿検知センサ１０３ａが原稿を検知した状態においては、原稿が必ずサイズ検知センサ１０３ｂ〜に重なった状態となり、サイズ検知を好適に行うことが可能となる。また、搬送方向に対して原稿が傾いて搬送されてしまう場合であっても、原稿が原稿検知センサ１０３ａに到達した時点においては、サイズ検知センサ１０３ｂ〜に重なっていると考えられるため、効果がある。
【００３７】
次に、図７、図８、図９（ａ）、（ｂ）、（ｃ）を用いて、本実施例に係る画像読取装置１の要旨となる動作について説明する。図７は、本実施例に係る画像読取装置１の動作を示すフローチャートであり、図８、図９（ａ）、（ｂ）、（ｃ）は、本実施例に係る画像読取装置１の夫々の動作例における原稿検出部１０３近傍を示す平面図である。図７において、Ｓ７０１〜Ｓ７０８が、図５において説明した通常動作に対応する。即ち、原稿搬送が開始され（Ｓ７０１）、原稿がサイズ検知センサ１０３ｂ〜に差し掛かってサイズ検知センサ１０３ｂ〜が原稿を検出すると（Ｓ７０２）、エンジン制御部１１３は、所定時間以内に原稿検知センサ１０３ａが原稿を検知するか否か確認する（Ｓ７０３、Ｓ７０４）。所定時間以内に原稿が検知されれば（Ｓ７０３、Ｓ７０４）、その後、図５において説明したように動作し、スキャンを実行する（Ｓ７０５〜Ｓ７０８）。
【００３８】
サイズ検知センサ１０３ｂ〜が原稿を検知し、原稿検知センサ１０３ａが原稿を検知する前に所定時間が経過した場合（Ｓ７０３）、搬送路１０５を搬送中の原稿は図８に示すような状態であると推測される。即ち、搬送路１０５を搬送中の原稿は、搬送路１０５において原稿検知センサ１０３ａが対向する部分の先頭部が切り欠かれた不定形原稿であると推測される。ここで、Ｓ７０３において判断される所定時間とは、原稿がサイズ検知センサ１０３ｂ〜によって検知された後、更に搬送ローラ１０５ａによって搬送され、原稿検知センサ１０３ａに対向する位置に到達すると予想される時間である。即ち、Ｓ７０３において、エンジン制御部１１３は、搬送路１０５を搬送されている原稿の搬送方向先端の辺が主走査方向と平行な直線であるか否かを判断する。尚、Ｓ７０３によって判断される時間とは、サイズ検知センサ１０３ｂ〜が原稿を検知することによってカウント開始され、搬送ローラ１０５ａの回転速度等、原稿の搬送速度に関係するパラメータに基づいて決定される。
【００３９】
原稿検知センサ１０３ａが原稿を検知する前にＳ７０３において所定時間経過したと判断された場合、エンジン制御部１１３は搬送されている原稿が不定形原稿であると判断する（Ｓ７０９）。これにより、エンジン制御部１１３は、原稿検知センサ１０３ａが反応していない場合であっても、サイズ検知センサ１０３ｂ〜が原稿を検知したタイミングに基づいて原稿の搬送状態を判断して、スキャンを実行する不定形原稿読取モードに遷移する。その後、エンジン制御部１１３は、Ｓ７０９において不定形原稿認定を行った状態におけるサイズ検知センサ１０３ｂ〜の検出状態に基づいて読取画素を駆動する（Ｓ７０６）と共に、メモリ空間を確保し（Ｓ７０７）、スキャンを実行する（Ｓ７０８）。この様に、図８に示す例においては、読取原稿がセンターの先頭部分において切り欠かれた不定形原稿であるような場合において、原稿検知センサ１０３ａが原稿を検出していない状態においても、サイズ検知センサ１０３ｂ〜の検出状態に基づいて不定形原稿をスキャンすることが可能となる。
【００４０】
原稿搬送が開始された後（Ｓ７０１）、サイズ検知センサ１０３ｂ〜が原稿を検出する前に（Ｓ７０２）原稿検知センサ１０３ａが原稿を検出した場合（Ｓ７１０）、搬送路１０５を搬送中の原稿は図９（ａ）、（ｂ）、（ｃ）に示すような状態であると推測される。即ち、図９（ａ）に示すような、センター部分が頂点となる菱形若しくは多角形原稿である場合、図９（ｂ）に示すような、センター部分が出っ張った不定形原稿である場合及び図９（ｃ）に示すような細長い帯状原稿等であると推測される。このような場合、即ち、原稿検知センサ１０３ａが原稿を検出した状態においてサイズ検知センサ１０３ｂ〜がいずれも原稿を検出していない場合、エンジン制御部１１３は搬送路１０５を搬送中の原稿が不定形原稿であると判断する（Ｓ７１１）。
【００４１】
しかしながら、エンジン制御部１１３は、Ｓ７１１の場合において、どのサイズに対応する画素を駆動すれば搬送されている原稿を全て読み取ることが出来るか判断できないため、主制御部１１１に読み取りサイズ指示要求を通知し、主制御部１１１が入力制御部１１２を制御してディスプレイパネル１０７に読み取りサイズ入力画面を表示する。これにより、ユーザが搬送中の原稿を読み取るための読取サイズを入力すると（Ｓ７１２）、入力された情報は入力制御部１１２を介して主制御部１１１に伝えられ、主制御部１１１はエンジン制御部１１３に読み取りサイズを通知する。エンジン制御部１１３は、主制御部１１１から通知された読取サイズに基づいて画素を駆動する（Ｓ７０６）と共にメモリ空間を確保し（Ｓ７０７）、スキャンを実行する。この様に、図９（ａ）、（ｂ）、（ｃ）に示す例においては、原稿検知センサ１０３ａが原稿を検出し、サイズ検知センサ１０３ｂ〜が原稿を検出していない場合において、検出エラーとしてスキャンが実行されない場合や、原稿が最も小さいサイズであると認識されてそれ以外の部位がスキャンされないことを防ぐことが可能となる。
【００４２】
ここで、Ｓ７０６における画素駆動の元となる読取サイズについては、原稿搬送方向に垂直な方向のサイズであり、原稿搬送方向の読取サイズ、即ち、エンジン制御部１１３がスキャン動作を終了するタイミングは、原稿検知センサ１０３ａ及びサイズ検知センサ１０３ｂ〜の検出状態に基づいて決定される。具体的には、原稿検知センサ１０３ａ及びサイズ検知センサ１０３ｂ〜が全てＯＦＦとなったタイミングに基づいて決定される。また、図７に示すＳ７０９及びＳ７１１においてエンジン制御部１１３が不定形原稿を認定した場合、主制御部１１１がエンジン制御部１１３からの通知に従い、入力制御部１１２を制御してディスプレイパネル１０６に搬送中の原稿が不定形原稿として認定されたことを表示させる。
【００４３】
次に、本実施例に係る画像読取装置１の意義を明確にするために、図１０（ａ）、（ｂ）を用いて、図８、及び図９（ａ）の場合において、従来の画像読取装置でスキャンを実行した場合の例を比較例として説明する。図１０（ａ）は、図８の場合に、図１０（ｂ）は図９（ａ）の場合に夫々対応する。まず、図１０（ａ）に示すように、読取原稿がセンターの先頭部分において切り欠かれた不定形原稿であるような場合について説明する。この様な場合、エンジン制御部１１３は、原稿検知センサ１０３ａが原稿を検知した時点で原稿の先頭を認識する。従って、図１０（ａ）に示す原稿において破斜線で示す部位、即ち原稿が搬送路１０５を搬送される際に、原稿検知センサ１０３ａが対向する部位を通る切り欠き部分の両側の部分は原稿の一部としては認識されない。従って、図１０（ａ）に示す原稿おいて破斜線で示す部分は従来の画像読取装置ではスキャンされない。
【００４４】
他方、図１０（ｂ）に示すように、読み取り原稿がセンター部分が頂点となる菱形若しくは多角形原稿である場合は、エンジン制御部１１３は、原稿検知センサ１０３ａが原稿を検出した時点でサイズ検知センサ１０３ｂ〜が原稿を検出していない。従って、エンジン制御部１１３は、原稿のサイズを特定することができず、エラーとしてスキャンを中止する場合や、最も小さい原稿サイズでスキャンを実行する場合等がある。ここで、最も小さい原稿サイズでスキャンを実行する場合、図１０（ａ）に示す原稿において破斜線で示す部位、即ち、最も小さいサイズ（本実施例においてはＢ５サイズ）よりも外側の部位についてはスキャンされないこととなる。
【００４５】
以上説明したように、本実施例に係る画像読取装置によれば、キャリアシート等で挟むことなく、不定形原稿を直接読み取ることが可能となる。尚、上記の説明においては、原稿検知センサ１０３ａとサイズ検知センサ１０３ｂとの検出状態に基づいて不定形原稿のスキャンを実行可能とする例を説明したが、原稿の搬送を開始する前に、不定形原稿の読み取りに対応するか否か、予め設定しておいても良い。特に、図１０（ｂ）において説明したように、従来の画像読取装置においては、原稿検知センサ１０３ａが原稿を検出した時点でサイズ検知センサ１０３ｂ〜が原稿を検出していない場合、最も小さい原稿サイズでスキャンを実行するものがある。この様な場合に、最も小さいサイズ（上記実施例においてはＢ５サイズ）の原稿をスキャンする場合、通常の定形原稿を読み取る場合にまで、ユーザに対して読み取りサイズを指定する処理を要求することとなり得る。従って、図１１に示すように、原稿搬送前に不定形原稿スキャンモードのＯＮ／ＯＦＦを切り換えておき（Ｓ１１０）、不定形原稿モードがＯＮの場合は、図７において説明した手順でスキャンを実行し、不定形原稿モードがＯＦＦの場合には図５において説明した手順でスキャンを実行することにより、ユーザに対して余計な処理を要求することなく、スキャンを実行することが可能となる。
【００４６】
また、上記の説明においては、画像読取装置１を例として説明したが、本実施例の要旨は、この様な画像読取装置１を搭載した複写機であっても同等の効果を奏する。また、本実施例に係る画像読取装置１を複写機における画像読取機能として用いる場合、図７のＳ７１２における読取サイズの選択は、出力用紙の選択としても実行することができる。また、上記の説明においては、幅広原稿読取装置を例として説明したが、最大Ａ３サイズ等の画像読取装置であっても適用可能である。尚、幅広原稿読取装置は、装置の設置スペース等の問題から原稿搬送型として設計されることが一般的であることに対し、最大Ａ３サイズ等の画像読取装置の場合、原稿載置型の読取装置として設計されることが多い。従って、本実施例に係る画像読取装置及びその制御方法は、幅広原稿読取装置において特に有意である。
【００４７】
また、上記の説明においては、読み取り原稿がセンターラインに対して左右対称である例を説明したが、不定形原稿としては左右対称でない場合もあり得る。そのような場合、例えば、図４に示すセンターラインＣを基準としてセンターラインＣの両側に対象にサイズ検知センサを設け、対応するサイズ検知センサの一方が原稿を検知し、他方が原稿を検知しないことをもって不定形原稿として判断することもできる。
【実施例２】
【００４８】
実施例１においては、図４に示すように、原稿検知センサ１０３ａがサイズ検知センサ１０３ｂ〜よりも原稿搬送方向下流側に位置する例を説明した。これは、従来の不定形原稿が想定されていない画像読取装置において、原稿検知センサがＯＮとなった場合におけるサイズ検知センサのＯＮ／ＯＦＦ状態に基づいて原稿サイズを判断するため、原稿検知センサがＯＮとなった場合には確実にサイズ検知センサがＯＮとなっていることが好ましいためである。しかしながら、不定形原稿を読み取る場合、特に実施例１の図８に示すような場合、原稿検知センサとサイズ検知センサとの搬送方向の位置ずれにより、所定時間のカウントが必要になる。本実施例においては、原稿検出部１０３の他の例を説明する。尚、実施例１と同様の符号を付す構成については実施例１と同一又は相当部を示し、説明を省略する。
【００４９】
図１２は、本実施例に係る画像読取装置１に含まれる原稿検出部１０３の一部を詳細に示す平面図であり、実施例１の図４に対応する図である。図１２に示すように、本実施例に係る原稿検出部１０３は、実施例１と同様に原稿検知センサ１０３ａ及びサイズ検知センサ１０３ｂ〜を有する。しかしながら、実施例１とは異なり、本実施例に係る原稿検知センサ１０３ａ及びサイズ検知センサ１０３ｂ〜は、原稿搬送方向にずれることなく、主走査方向の略同一直線上に並べて配置されている。即ち、本実施例に係る原稿検知センサ１０３ａとサイズ検知センサ１０３ｂとは、原稿搬送方向において略同一の位置に設けられる。換言すると、原稿検知センサ１０３ａとサイズ検知センサ１０３ｂとは、主操作方向に沿って並んでいる。次に、本実施例に係る画像読取装置１の動作について、図１３を参照して説明する。エンジン制御部１１３が搬送ローラ１０５ａを駆動して原稿搬送が開始され（Ｓ１３０１）、原稿が原稿検出部１０３に対向する位置に到達し、原稿検出部１０３に含まれる原稿検知センサ１０３ａ及びサイズ検知センサ１０３ｂ〜のいずれか１つが反応する（ＯＮになる）と（Ｓ１３０２）、エンジン制御部１１３は、原稿検知センサ１０３ａ及びサイズ検知センサ１０３ｂ〜の検知状態に基づき、搬送中の原稿が不定形原稿か否かの判断を行う（Ｓ１３０３）。ここでは、実施例１において説明したように、原稿検知センサ１０３ａ及びサイズ検知センサ１０３ｂ〜の検出状態に基づいて不定形原稿の判断を行う。また、センターラインＣの両側に対照的に設けられたサイズ検知センサ１０３ｂ〜の対応するセンサの検出状態を参照しても良い。Ｓ１３０３の判断の結果、不定形原稿でない場合は、図５の例と同様、原稿のサイズを検出し（Ｓ１３０６）、画素駆動（Ｓ１３０７）、メモリ空間確保（Ｓ１３０８）及びスキャンを実行する（Ｓ１３０９）。
【００５０】
Ｓ１３０３の判断の結果、搬送中の原稿が不定形原稿であった場合（Ｓ１３０３）、エンジン制御部１１３は、不定形原稿の検出態様に基づき、ユーザによる読み取りサイズの指定が必要か否か判断する（Ｓ１３０４）。実施例１における図８の例のように、サイズの指定は必要ない不定形原稿である場合（Ｓ１３０４）、定形原稿の場合と同様に、サイズ検出（Ｓ１３０６）以降の処理を実行する。他方、実施例１における図９（ａ）、（ｂ）、（ｃ）の例のように、ユーザによるサイズ選択が必要な不定形原稿である場合（Ｓ１３０４）、エンジン制御部１１３からの通知に基づいて主制御部１１１が入力制御部１１２を制御し、ディスプレイパネル１０７に読み取りサイズ入力画面を表示する。これにより、ユーザが搬送中の原稿を読み取るための読取サイズを入力すると（Ｓ１３０５）、エンジン制御部１１３は、画素駆動（Ｓ１３０７）以降の処理を実行する。
【００５１】
この様に、本実施例に係る画像読取装置１においては、原稿検出部１０３に含まれる原稿検知センサ１０３ａ及びサイズ検知センサ１０３ｂ〜が主走査方向と垂直な方向に略一直線上に並んで配置されており、それらの検知センサのうち、いずれか１つが原稿を検出した時点で、搬送中の原稿が定形原稿か不定形原稿かを判断する。これにより、サイズ検知センサ１０３ｂ〜が原稿を検出してからの所定時間のカウント等の処理を行う必要がなくなる。尚、上記の説明においては、原稿検出部１０３に含まれる検知センサを便宜上原稿検知センサとサイズ検知センサというように分けて説明したが、両者は機能として異なる部分は特になく、原稿検出部１０３において配置される位置や、搬送路１０５を搬送される原稿のどの位置を検出するかによって夫々区別される。
【００５２】
また、上記の説明においては、図１３のＳ１３０３に示すように、必ず不定形原稿であるか否かの判断を行う例を説明したが、実施例１の尚書きにおいて図１１を用いて説明したように、不定形原稿モードのＯＮ／ＯＦＦを予め設定してから原稿の搬送を開始するようにしても良い。尚、原稿搬送方向に対して、原稿が傾いて搬送される場合を考えると、原稿検出部１０３に含まれる検知センサのうちいずれか１つが原稿を検知した時点で即座に判断に入るのではなく、例えば原稿が原稿検知センサの搬送方向幅の一端から他端まで搬送される時間程度待機してから判断を行っても良い。
【実施例３】
【００５３】
実施例１においては、図８に示すように、サイズ検知センサが反応している場合は検出されているサイズに基づいて読み取りサイズを決定し、サイズ検知センサが反応していない場合においては、ユーザの指定に基づいて読み取りサイズを決定する例を説明した。本実施例においては、スキャン実行中にもサイズ検知センサ１０３ｂの検出状態を監視し、監視結果に基づいて読み取りサイズを変更可能な例を説明する。尚、実施例１と同様の符号を付す構成については実施例１と同一又は相当部を示し、説明を省略する。
【００５４】
図１４は、本実施例が課題とする原稿の搬送状態を示す図である。図１４の状態の場合、実施例１の画像読取装置においては、原稿サイズはＡ３として検出され、図中の破斜線で示す領域は読み取られない。この様な課題に鑑み、本実施例に係るエンジン制御部１１３は、スキャン実行中であっても、原稿検出管理部１１３ｆが原稿検出部１０３の検出状態監視を続行する。エンジン制御部管理部１１３ａは、原稿検出管理部１１３ｆの検出状態に基づき、スキャン実行中に新たに原稿を検出したサイズ検知センサがあった場合には、画素駆動部１１３ｅを制御して新たに原稿を検出したサイズ検知センサに該当する読取画素を駆動する。また、エンジン制御管理部１１３ａは、記憶領域管理部１１３ｂを制御し、追加で駆動された読取画素に対応するメモリ空間を確保する。これにより、不定形原稿の読取を可能とする。
【００５５】
次に、図７を参照して、本実施例に係る画像読取装置１の動作について説明する。図１４に示すような場合、図７においてはＳ７０９に進み、Ｓ７０２においてＯＮしているサイズ検知センサ１０３ｂに基づいて画素が駆動され（Ｓ７０６）、メモリ空間が確保されることにより（Ｓ７０７）、スキャンが実行される（Ｓ７０８）。ここで、スキャンを開始し、原稿が更に搬送されると、図１４に示すサイズ検知センサ１０３ｆが新たにＯＮとなる。エンジン制御管理部１１３ａは、原稿検出管理部１１３ｆを介してサイズ検知センサ１０３ｆがＯＮとなったことを確認する。そして、エンジン制御管理部１１３ａは、画素駆動部１１３ｅを制御し、Ｂ３サイズに対応する画素を駆動する。また、エンジン制御管理部１１３ａは、記憶領域管理部１１３ｄを制御し、既に確保されているＡ４サイズ用のメモリ空間に加えて、Ｂ３サイズの画像を保持可能なように、記憶領域１１３ｄに追加でメモリ空間を確保する。これにより、原稿が更に搬送され、図１４の破斜線部分が画像読取部１０４に到達した時点ではＢ３サイズの読取が可能となっている。従って、不定形原稿の画像読取を好適に実行することが可能となる。
【００５６】
尚、上記の説明においては、図１４の場合を例として説明したが、図９（ａ）、（ｂ）、（ｃ）の場合であっても、適用することが可能である。即ち、図７のＳ７１１において不定形原稿であることが認定された後、エンジン制御部１１３は、ユーザに読み取りサイズを確認することなく、最も小さいサイズの画素を駆動してスキャンを開始する。その後、原稿が搬送されることにより、サイズ検知センサ１０３ｂ〜が新たに原稿を検出することにより、エンジン制御部はそれらのサイズに対応する画素の駆動及びメモリ空間の確保を行う。これにより、不定形原稿の読取の実行において、夫々のサイズ検出センサ１０３ｂ〜が非検出状態から検出状態に遷移した場合、自動的に読取範囲が変更され、ユーザが読み取りサイズを指定する必要がなくなる。
【実施例４】
【００５７】
実施例１においては、原稿搬送方向の読取サイズ、即ち、エンジン制御部１１３がスキャン動作を終了するタイミングは、原稿検知センサ１０３ａ及びサイズ検知センサ１０３ｂ〜の検出状態に基づいて決定される例を説明した。しかしながら、不定形原稿の読取を前提とする以上、原稿がどのような形状であるかは予測できず、原稿の形状によってはスキャンを終了すべきタイミングではないにも関わらず原稿検出部１０３のセンサが全てＯＦＦとなってスキャンが終了してしまう可能性がある。本実施例においては、スキャンの開始、終了タイミングをユーザが自由に操作可能な例を説明する。尚、実施例１と同様の符号を付す構成については実施例１と同一又は相当部を示し、説明を省略する。
【００５８】
図１５を参照して、本実施例に係る画像読取装置１の動作について説明する。本実施例においては、画素が駆動され（Ｓ１５０６）、メモリ空間が確保される（Ｓ１５０７）までは実施例１における図７の例と同様の動作が実行される。その後、ユーザからスキャン実行指示があるまで待機し、ユーザからスキャン実行指示が入力されると（Ｓ１５０８）、スキャンが実行される（Ｓ１５０９）。その後、ユーザからのスキャン実行指示が解除されるまではスキャンが実行され続け、ユーザによりスキャン実行指示が解除されると（Ｓ１５１０）、処理を終了する。ここで、ユーザによるスキャン実行指示は、ディスプレイパネル１０７やその他の操作部をユーザが操作することにより行う。具体的には、一のボタンを一度押下することによりスキャン実行が指示され、もう一度押下することによりスキャン実行指示が解除されるようにしても良いし、夫々異なるスキャン実行ボタンとスキャン終了ボタンとを設けても良い。また、一のボタンを押下状態としている間のみ、スキャン実行が指示され、押下を解除することによりスキャン実行指示が解除されるようにしても良い。
【００５９】
この様に、本実施例に係る画像読取装置１においては、スキャンの実行／終了をユーザが自由に操作することが可能であり、どのような不定形原稿であっても、読み取ることが可能となる。尚、上記の説明においては、実施例１における図７に対して本実施例に係るスキャン実行／終了指示の制御方法を適用する例を説明したが、例えば、図７のＳ７０３、Ｓ７０４、Ｓ７０５を経てＳ７０６に到達した場合等、定形原稿としてスキャンを実行する場合は、本実施例に係る制御方法を適用しないようにしても良く、Ｓ７０９若しくはＳ７１１のように不定形原稿として判断された場合にのみ適用するようにしても良い。また、図１１の例の場合、Ｓ１１０において、不定形原稿モードＯＮとして指定された場合のみ本実施例に係る制御方法を適用するようにしても良い。また、実施例２、実施例３に対して本実施例の制御方法を適用しても良い。
【００６０】
また、上記の説明においては、原稿の搬送を開始した後、原稿読取サイズが決定され、その後ユーザによってスキャン実行が指示される例を説明したが、原稿の搬送を開始する前に、ユーザによって原稿読み取りサイズが指定され、そのごスキャン実行指示が入力されることによって原稿の搬送が開始されるようにしても良い。また、原稿読取サイズが指定されることなく、ユーザによってスキャン実行が指示され原稿搬送が開始され、実施例３に係る制御方法によって画素を駆動して読み取りサイズを決定しながらスキャンを実行しても良い。
【００６１】
更に、上記実施例１乃至実施例４の説明においては、図４の例をはじめとして、センターラインＣを位置合わせして原稿を搬送するセンター基準の例を説明したが、この他、原稿の搬送方向と平行な方向の一辺（不定形原稿の場合は、搬送方向と垂直な方向の一端）を基準として、位置合わせする端部基準の原稿搬送方法であっても良い。この様な場合、位置合わせする側の端部に原稿検知センサが設けられる。
【図面の簡単な説明】
【００６２】
【図１】本発明の実施例に係る画像読取装置の全体構成を示すブロック図である。
【図２】本発明の実施例に係る画像読取装置の一部を模式的に示す斜視図である。
【図３】本発明の実施例に係る画像読取装置の一部を模式的に示す平面図である。
【図４】本発明の実施例に係る画像読取装置の一部を模式的に示す平面図である。
【図５】本発明の実施例に係る画像読取装置の通常動作を示すフローチャートである。
【図６】本発明の実施例に係る画像読取装置の一部の動作状態を模式的に示す平面図である。
【図７】本発明の実施例に係る画像読取装置の動作を示すフローチャートである。
【図８】本発明の実施例に係る画像読取装置の一部の動作状態を模式的に示す平面図である。
【図９】本発明の実施例に係る画像読取装置の一部の動作状態を模式的に示す平面図である。
【図１０】本発明の比較例に係る画像読取装置の一部の動作状態を模式的に示す平面図である。
【図１１】本発明の実施例に係る画像読取装置の動作を示すフローチャートである。
【図１２】本発明の他の実施例に係る画像読取装置の一部を模式的に示す平面図である。
【図１３】本発明の他の実施例に係る画像読取装置の動作を示すフローチャートである。
【図１４】本発明の他の実施例に係る画像読取装置の一部の動作状態を模式的に示す平面図である。
【図１５】本発明の他の実施例に係る画像読取装置の動作を示すフローチャートである。
【符号の説明】
【００６３】
１    画像読取装置
１００    スキャナユニット
１０１    給紙口
１０２    排紙口
１０３    原稿検出部
１０３ａ    原稿検知センサ
１０３ｂ、ｃ、ｄ、ｅ、ｆ、ｇ、    サイズ検知センサ
１０４    画像読取部
１０５    搬送路
１０５ａ    搬送ローラ
１０５ｂ    搬送軌跡面
１０６    ホストＩ／Ｆ
１０７    ディスプレイパネル
１１０    コントローラ
１１１    主制御部
１１２    入力制御部
１１３    エンジン制御部
１１３ａ    エンジン制御管理部
１１３ｂ    記憶領域管理部
１１３ｃ    画像処理部
１１３ｄ    記憶領域
１１３ｅ    画素駆動部
１１３ｆ    原稿検出管理部
１１３ｇ    搬送管理部
【図１】
2008236087.tif 000003
【図２】
2008236087.tif 000004
【図３】
2008236087.tif 000005
【図４】
2008236087.tif 000006
【図５】
2008236087.tif 000007
【図６】
2008236087.tif 000008
【図７】
2008236087.tif 000009
【図８】
2008236087.tif 000010
【図９】
2008236087.tif 000011
【図１０】
2008236087.tif 000012
【図１１】
2008236087.tif 000013
【図１２】
2008236087.tif 000014
【図１３】
2008236087.tif 000015
【図１４】
2008236087.tif 000016
【図１５】
2008236087.tif 000017